(57)【要約】【課題】各警察署で保管している多数の拳銃１を、効率よく適正に管理する。【解決手段】拳銃１の銃把１ａの底部にＲＦタグ（ＩＣタグ）１１を取り付ける。番号札３にＲＦタグ３１を、警察手帳４にＲＦタグ４１を取り付ける。拳銃架台２を収容する拳銃金庫内に、ＲＦタグ１１，３１の識別コードを受信するアンテナ２１を配設する。拳銃金庫の電気錠の解錠をカードリーダから読み取るＩＣカードのＩＤコードの認証により制御する。アンテナ２１で識別コードを受信して、拳銃架台２における拳銃１または番号札３の有無、その履歴を監視する。取り出した拳銃１と警察手帳４のＲＦ１１，４１の各識別コードをハンディターミナル２２で読み取る。識別コードによる拳銃１、番号札３、警察手帳４及び署員のＩＤコードにより、パーソナルコンピュータのデータベースに記録する。各警察署間でネットワークを構築して、各々拳銃１の管理情報を共有できるようにする。【選択図】図２
2009003635.tif 000002
【特許請求の範囲】
【請求項１】
固有の識別コードを記憶した多数のＲＦタグを用い、固有のＲＦタグをそれぞれ取り付けた多数の拳銃を管理する拳銃管理システムであって、
個人に固有のＩＤコードを出力するＩＤコード出力手段からのＩＤコードを入力して、該ＩＤコードを認証して扉の解錠を制御する履歴付き錠装置と、庫内でＲＦタグの識別コードを受信するアンテナとを備えた拳銃金庫と、
該拳銃金庫内に収容されていて拳銃を保持する拳銃架台と、
前記履歴付き錠装置からの履歴情報を入力するとともに、前記拳銃金庫内の前記アンテナで受信される識別コードにより、前記拳銃を管理する管理手段と、
を備え、
前記管理手段は、前記ＩＤコード出力手段からのＩＤコードと、前記拳銃金庫内のアンテナで受信される識別コードと、前記履歴付き錠装置からの履歴情報とにより、前記拳銃を管理することを特徴とする拳銃管理システム。
【請求項２】
請求項１に記載の拳銃管理システムであって、
前記個人に固有のＩＤコードに対応付けた識別コードを記憶した前記ＲＦタグを備えた番号札であって、前記拳銃架台に対して前記拳銃と入れ替えて載置可能な番号札を備え、
前記管理手段は、前記拳銃金庫内のアンテナで受信される該番号札の識別コードにより前記拳銃を管理することを特徴とする拳銃管理システム。
【請求項３】
請求項１または２に記載の拳銃管理システムであって、
前記ＲＦタグの識別コードを受信可能なハンディターミナルを備え、
前記管理手段は、前記ハンディターミナルで受信される識別コードにより前記拳銃を管理することを特徴とする拳銃管理システム。
【請求項４】
請求項１、２または３に記載の拳銃管理システムであって、
前記管理手段は、ＩＤコードを入力するＩＤコード入力処理を行い、
前記履歴付き錠装置は、前記ＩＤコード出力手段からのＩＤコードと該管理手段におけるＩＤコード入力処理で入力されたＩＤコードとを認証することで、前記銃金庫の扉の解錠を制御することを特徴とする拳銃管理システム。
【発明の詳細な説明】
【技術分野】
【０００１】
本発明は、警察署に保管している多数の拳銃を管理する拳銃管理システムに関する。
【背景技術】
【０００２】
従来、警察署において各警察官が使用する拳銃を保管している。これら拳銃は、各警察官専用の拳銃であり勤務時に拳銃金庫より取り出し勤務する。現在の拳銃管理は、拳銃をしまう金庫室があってメカ式の鍵で金庫室を開け、さらに拳銃金庫をメカ式の鍵で解錠する。拳銃金庫中から拳銃を収納した銃架台を取り出し、銃架台より各警察官が個人専用の拳銃を取り出す。そして、銃架台の取り出した場所のフックに番号札をぶら下げておく。また、一日に数回、担当者が拳銃金庫を開け、拳銃の使用（在庫）状況を点検し、紛失等がないように確認している。
【０００３】
このような拳銃の管理に関連あるいは類似した技術として、例えば実用新案登録第３１０３３２４号公報（特許文献１）、特開２００５−５６１６４号公報（特許文献２）に開示されたものがある。特許文献１のものは、公報銃器戸棚内の銃器を正確に認識して、本物の銃器の有無を管制する銃器制御装置である。また、特許文献２のものは、銃器の製造番号や弾痕情報、販売店情報、所有者情報、所有者履歴情報等をデータベース化しておき、銃器と所有者及び弾痕情報等を追跡管理するものである。
【特許文献１】実用新案登録第３１０３３２４号公報
【特許文献２】特開２００５−５６１６４号公報
【発明の開示】
【発明が解決しようとする課題】
【０００４】
前述のような拳銃管理の現状の運用方法では、担当者が拳銃の使用（在庫）状況をチェックしているが、このチェックに１回３０分以上かかり、これを１日６、７回行うため、非常に手間がかかっている。このような管理を行っているにもかかわらず、明確な使用履歴が残らないため、何時、誰が持ち出したかが明確にわからないという問題がある。前記特許文献１のものでは拳銃の有無を判定することはできるが、使用履歴をとることはできない。
【０００５】
本発明は、警察署に保管している多数の拳銃の使用履歴を容易に得ることができ、拳銃を正確に効率よく管理できるようにすることを課題とする。
【課題を解決するための手段】
【０００６】
請求項１の拳銃管理システムは、固有の識別コードを記憶した多数のＲＦタグを用い、固有のＲＦタグをそれぞれ取り付けた多数の拳銃を管理する拳銃管理システムであって、個人に固有のＩＤコードを出力するＩＤコード出力手段からのＩＤコードを入力して、該ＩＤコードを認証して扉の解錠を制御する履歴付き錠装置と、庫内でＲＦタグの識別コードを受信するアンテナとを備えた拳銃金庫と、該拳銃金庫内に収容されていて拳銃を保持する拳銃架台と、前記履歴付き錠装置からの履歴情報を入力するとともに、前記拳銃金庫内の前記アンテナで受信される識別コードにより、前記拳銃を管理する管理手段と、を備え、前記管理手段は、前記ＩＤコード出力手段からのＩＤコードと、前記拳銃金庫内のアンテナで受信される識別コードと、前記履歴付き錠装置からの履歴情報とにより、前記拳銃を管理することを特徴とする。
【０００７】
請求項２の拳銃管理システムは、請求項１に記載の拳銃管理システムであって、前記個人に固有のＩＤコードに対応付けた識別コードを記憶した前記ＲＦタグを備えた番号札であって、前記拳銃架台に対して前記拳銃と入れ替えて載置可能な番号札を備え、前記管理手段は、前記拳銃金庫内のアンテナで受信される該番号札の識別コードにより前記拳銃を管理することを特徴とする。
【０００８】
請求項３の拳銃管理システムは、請求項１または２に記載の拳銃管理システムであって、前記ＲＦタグの識別コードを受信可能なハンディターミナルを備え、前記管理手段は、前記ハンディターミナルで受信される識別コードにより前記拳銃を管理することを特徴とする。
【０００９】
請求項４の拳銃管理システムは、請求項１、２または３に記載の拳銃管理システムであって、前記管理手段は、ＩＤコードを入力するＩＤコード入力処理を行い、前記履歴付き錠装置は、前記ＩＤコード出力手段からのＩＤコードと該管理手段におけるＩＤコード入力処理で入力されたＩＤコードとを認証することで、前記銃金庫の扉の解錠を制御することを特徴とする。
【００１０】
請求項１の拳銃管理システムにおいて、拳銃金庫には拳銃を保持した拳銃架台が収納されるが、この拳銃金庫の例えば棚にはアンテナが内蔵されている。この拳銃を載置した拳銃架台をアンテナ上に載置すると、この拳銃に取り付けられたＲＦタグの識別コードがアンテナで受信される。また、個々の拳銃はその識別コードにより特定できる。したがって、管理手段は、識別コードの有無によりロッカー装置内の拳銃の有無を検出することができる。また、拳銃金庫の扉は、履歴付き錠装置により解錠が制御され、履歴付き錠装置はＩＣカード等のＩＤコード出力手段からのＩＤコードを認証して解錠を制御する。したがって、ＩＤコードに応じて扉を解錠または非解錠とすることができるので、拳銃金庫から拳銃の取り出しをＩＤコードに基づいて制限するこができる。また、管理手段は、履歴付き錠装置からのＩＤコードに基づいて、拳銃金庫からの拳銃の持ち出しの履歴をＩＤコードで特定される個人とともに管理できる。
【００１１】
なお、複数の拳銃管理システムをネットワーク等で接続することで、例えば全国の警察署における拳銃の一括集中管理することも可能であり、また、相互のデータ通信により全国にわたって個々の拳銃の所在も容易に判明する。
【００１２】
請求項２の拳銃管理システムでは、従来の拳銃の出し入れと同じように、番号札と拳銃を交換して拳銃の出し入れを行うことができて、さらに、その番号札に取り付けられたＲＦタグの識別コードを拳銃金庫内のアンテナで受信できるので、その番号札の識別コードで署員を特定し、さらに確実な管理を行うことができる。
【００１３】
請求項３の拳銃管理システムでは、例えば警察手帳にＲＦタグを埋め込んで、その警察手帳のＲＦタグの識別コードや拳銃のＲＦタグの識別コードをハンディターミナルで受信できるので、それらの識別コードで拳銃と署員の特定を行うことができ、さらに確実な管理を行うことができる。
【００１４】
請求項４の拳銃管理システムにおいて、パーソナルコンピュータ等の管理手段のＩＤコード入力処理により、ＩＤコードを入力した場合だけ、履歴付き錠装置で銃金庫の解錠制御を行うことができる。
【発明の効果】
【００１５】
請求項１の拳銃管理システムによれば、警察署などに保管している多数の拳銃の管理を、正確に効率良く行うことができる。
【００１６】
請求項２の拳銃管理システムによれば、請求項１の効果に加えて、さらに、署員が所持する番号札の識別コードにより署員を特定でき、さらに確実な管理を行うことができる。
【００１７】
請求項３の拳銃管理システムによれば、請求項１または２の効果に加えて、ハンディターミナルで受信した識別コードで拳銃と署員の特定を行うことができ、さらに確実な管理を行うことができる。
【００１８】
請求項４の拳銃管理システムによれば、請求項１、２または３の効果に加えて、管理手段におけるＩＤコード入力処理によるＩＤコードの入力と、履歴付き錠装置におけるＩＤコードの入力とを行わなければ拳銃金庫からの拳銃の持ち出しができないので、セキュリティ性も向上する。
【発明を実施するための最良の形態】
【００１９】
次に、本発明の拳銃管理システムの実施形態を図面を参照して説明する。図１は本発明の実施形態の拳銃管理システムの概略図、図２は実施形態の拳銃管理システムに関する拳銃１、拳銃架台２、番号札３及び警察手帳４を示す図である。
【００２０】
図２に示すように、拳銃１の銃把１ａの底部の所定の位置には、ＲＦタグ（ＩＣタグ）１１が取り付けられている。また、番号札３にはＲＦタグ３１が取り付けられ、警察手帳４にはＲＦタグ４１が取り付けられている。なお、警察手帳のＲＦタグ４１は旗章４ａに埋め込まれている。
【００２１】
拳銃架台２は底板２ａを有し、この底板２ａには拳銃１の銃把１ａを勘合する銃把保持部２ｂと番号札３を勘合する番号札保持部２ｃとが形成されている。そして、一つの拳銃架台２に対して、銃把保持部２ｂに銃把１ａを勘合することで複数の拳銃１が載置される。また、番号札３は、拳銃１を拳銃架台２から取り出したとき、その取り出した拳銃１に対応する番号札保持部２ｃ内に勘合する。
【００２２】
この拳銃架台２は、図１に示すように拳銃金庫２０内に収納されるが、その拳銃金庫２０内の例えば棚２０ｅにはアンテナ２１が配設されている。そして、拳銃架台２を拳銃金庫２０内に収納すると、この拳銃架台２に載置された拳銃１及び番号札保持部２ｃに勘合された番号札３から、それぞれのＲＦタグ１１，３１の識別コードが、アンテナ２１で受信される。また、拳銃１のＲＦタグ１１と警察手帳４のＲＦタグ４１の識別コードはハンディターミナル２２でも受信可能となっている。
【００２３】
ＲＦタグ１１，３１，４１とアンテ２１及びハンディターミナル２２は、例えばＲＦＩＤ（Radio Freqency IDentification）システムであり、ＲＦタグは、「ＩＣタグ」、「電波タグ」、「無線タグ」、「ＲＦＩＤタグ」等と称され、内蔵するＩＣメモリに各種のデータを記憶することができる。そして、このデータはアンテナ２１及びハンディターミナル２２により、非接触で読み取ることができる。したがって、拳銃１または番号札３を拳銃架台２に載置して拳銃金庫内に収納すると、その棚に設けられたアンテナ２１により該ＲＦタグ１１，３１に記憶されている識別コードを受信できる。また、ハンディターミナル２２を拳銃１または警察手帳４にかざすことでその識別コードを受信できる。
【００２４】
また、この実施形態のＲＦＩＤシステムは「アンチコリジョン（衝突防止）」の機能を有しており、アンテナ２１及び後述のＲＦリーダ２３は、複数のＲＦタグ１１，３１に対して同時にデータを正しく読み出すことができる。したがって、拳銃架台２上にに複数の拳銃１及び番号札３が接近して配置されても、複数の拳銃１と番号札３の有無を検出することができる。
【００２５】
図１に示すように、金庫室１０の金庫室扉１０ａには、ＩＣカードからＩＤコードを読み取るカードリーダ１０ｂと、金庫室扉１０ａの施錠及び解錠を行う電気錠１０ｃとが取り付けられており、電気錠１０ｃは錠制御部１０ｄに接続されている。拳銃金庫２０は金庫室１０内に複数設置されており、各拳銃金庫２０の金庫扉２０ａには、ＩＣカードからＩＤコードを読み取るカードリーダ２０ｂと、金庫扉２０ａの施錠及び解錠を行う電気錠２０ｃとが取り付けられている。また、電気錠２０ｃは錠制御部２０ｄに接続されている。拳銃金庫２０内は複数の棚２０ｅで仕切られており、各棚２０ｅには複数の拳銃架台２が収納されるが、この各棚２０ｅには載置される拳銃架台２に対応する位置にそれぞれアンテナ２１が配設されている。また、アンテナ２１とハンディターミナル２２はＲＦリーダ２３に接続されている。
【００２６】
パーソナルコンピュータ１００は管理手段であり、このパーソナルコンピュータ１００は署内に構成されたＬＡＮに接続されている。そして、ＲＦリーダ２３、金庫室１０のカードリーダ１０ｂと錠制御部１０ｄ、拳銃金庫２０のカードリーダ２０ｂと錠制御部２０ｄは、ＬＡＮを介してパーソナルコンピュータ１００に接続されている。以下、パーソナルコンピュータを「ＰＣ」ともいう。
【００２７】
ここで、パーソナルコンピュータ１００はサーバを有しており、このサーバ内にＩＤデータベース、管理データベース、履歴データベースを構成している。各署員の氏名、所属等の情報は、その署員が所持するＩＣカードのＩＤコード、番号札３のＲＦタグ３１の識別コード及び警察手帳４のＲＦタグ４１の識別コードとにそれぞれ対応付けて、ＩＤデータベースに記憶されている。また、各拳銃１には署内における仮の拳銃番が付与されており、拳銃１は、この拳銃番号、その拳銃が所属する警察署名、都市名、県名等は、その拳銃１に取り付けられているＲＦタグ１１の識別コードとそれぞれ対応つけてＩＤデータベースに記憶されている。また、署員の内で拳銃の持出し及び収納が許可されている署員についてはそのＩＤコードがＩＤデータベースに記憶（登録）されている。
【００２８】
また、複数の拳銃金庫２０を識別するデータ、各拳銃金庫２０内の拳銃１の有無を示すデータが管理データベースに記憶され、署員による拳銃１の持ち出し及び返却の事象データ、その拳銃１のＩＤデータ、拳銃金庫２０の開閉等の時刻のデータ、金庫室１０への入退室等の時刻等のデータが履歴データベースに記憶される。
【００２９】
なお、各拳銃金庫２０とその中のアンテナ２１にはそれぞれ番号が付与されており、この番号と拳銃架台２の拳銃１または番号札３の番号とを対応つけて記憶することにより、どの拳銃１がどの拳銃金庫２０のどの拳銃架台２に収納されているか、あるいはどの拳銃１が収納されていないかを認識することができる。
【００３０】
以上の構成により、署員が金庫室１０のカードリーダ１０ｂにＩＣカードをかざすと、ＩＤコードが読み取られてＰＣ１００に送信され、ＰＣ１００はＩＤデータベースを参照してＩＤコードの認証を行う。ＩＤコードが認証されると、ＰＣ１００から錠制御装置１０ｄに解錠信号が出力されて、電気錠１０ｃが解錠する。署員は金庫室１０内に入り、拳銃金庫２０のカードリーダ２０ｂにＩＣカードをかざすと、ＩＤコードが読み取られてＰＣ１００に送信され、同様にＰＣ１００でＩＤコードが認証されると、ＰＣ１００から錠制御装置２０ｄに解錠信号が出力されて、電気錠２０ｃが解錠する。なお、カードリーダ１０ｂ，２０ｂ、電気錠１０ｃ，２０ｃは「履歴付き錠装置」を構成している。
【００３１】
次に、署員は、拳銃金庫２０内の拳銃架台２から拳銃１を取り出すとともに、自分の番号札３を拳銃架台２に載置し、拳銃金庫２０の棚２０ｅ上に載置する。これらの拳銃１及び番号札３のＲＦタグ１１，３１の識別コードはアンテナ２１で受信され、ＲＦリーダ２３を介してＰＣ１００に取り込まれる。また、署員は、拳銃金庫２０内からハンディターミナル２２を取り出し、そのハンディターミナル２２により、取り出した拳銃１のＲＦタグ１１から識別コードを読み取り、さらに、警察手帳４のＲＦタグ４１から識別コードを読み取る。これらの各識別コードはＲＦリーダ２３を介してＰＣ１００に取り込まれる。
【００３２】
そして、ＰＣ１００は、カードリーダ１０ｂ，２０ｂから読み取ったＩＤコードに基づいて、金庫室１０への入退室履歴と拳銃金庫２０の開閉履歴の情報を生成し、履歴データベースを更新する。また、ＲＦタグ１１，３１，４１の識別コードに基づいて、拳銃１の持ち出し履歴や返却履歴の情報を生成し、履歴データベースと管理データベースを更新する。
【００３３】
図３及び図４はＰＣ１００の制御を示す要部フローチャートであり、図３はメイン処理のフローチャート、図４は拳銃金庫管理処理のフローチャートである。同フローチャートに基づいて動作を説明する。
【００３４】
図３のメイン処理はＰＣ１００で所定のアプリケーション（管理プログラム）を開始することにより起動され、ます、ステップＳ１で金庫室１０への入室管理を行う。この入室管理では、カードリーダー１０ｂによりＩＣカードの検知を監視し、ＩＣカードが検知されると、そのＩＣカードのＩＤコードに基づいて入室が許可されているか認証し、認証がＯＫであれば、金庫室１０の電気錠１０ｃを解錠する。そして、ステップＳ２で入室（扉の開閉）の有無を監視する。なお金庫室１０の扉１０ａを開閉すると自動施錠される。入室があれば、ステップＳ３で入室履歴を記憶して履歴データベースを更新し、ステップＳ４に進む。ステップＳ４では図４の拳銃金庫管理処理を行い、ステップＳ５で金庫室１０の退室管理を行う。この退室管理では、カードリーダー１０ｂによりＩＣカードの検知を監視しＩＣカードが検知されると、電気錠１０ｃを解錠する。そして、ステップＳ６で退室（扉の開閉）の有無を監視し、退室があれば、ステップＳ７で退室履歴を記憶して履歴データベースを更新し、ステップＳ１に戻る。
【００３５】
図４の拳銃金庫管理処理では、ステップＳ１１で、カードリーダー２０ｂによりＩＣカードの検知を監視し、ＩＣカードが検知されると、ステップＳ１２で、そのＩＣカードのＩＤコードに基づいて銃の持ち出しが許可されているか認証し、認証がＯＫでなければそのまま元のルーチンに復帰し、認証がＯＫであればステップＳ１３で拳銃金庫２０の電気錠２０ｃを解錠する。次に、ステップＳ１４の識別コード監視処理を、ステップＳ１５で拳銃金庫２０の「扉閉」が検出されるまで行う。この識別コード監視処理は、現在解錠している拳銃金庫２０の各アンテナ２１をスキャンして拳銃１及び番号札３の各識別コードを受信する処理、ハンディターミナル２２で拳銃１と警察手帳４の各識別コードを受信する処理を行う。
【００３６】
そして、ステップＳ１５で「扉閉」が検出されると、ステップＳ１６で電気錠２０ｃを施錠し、ステップＳ１７で、履歴データベースの更新及び管理データベースの更新を行って元のルーチンに復帰する。この履歴データベースは、持ち出された拳銃１または返却された拳銃１の識別コード、拳銃１を持ち出したまたは返却した署員の番号札３の識別コード、により、拳銃、署員の関連付けを行い、さらに拳銃金庫内の拳銃１の有無を示すデータ等の記録を行う。また、現在時刻の記録等も行う。
【００３７】
以上のように、ＰＣ１０のデータベースは、拳銃１の持ち出し時、返却時に常に更新されるので、拳銃金庫２０内の拳銃１の状況や持ち出し、返却の履歴等をＰＣ１０により容易に確認することができる。
【００３８】
本発明の拳銃管理システムは、一つの警察署内に設けるにとどまらず、全国の警察署に設け、例えば図１に示したように、これらの拳銃管理システムをネットワークで接続してもよい。この場合には、任意の警察署において、例えば当該警察署の拳銃が全国のどこの警察署の、どの拳銃金庫の（アンテナに対応する）どの棚に保管されているかも容易に確認することができる。さらに、そのネットワークを介して例えば警視庁や警察庁などの中央センターで管理するようにもできる。
【図面の簡単な説明】
【００３９】
【図１】本発明の実施形態の拳銃管理システムの概略図である。
【図２】実施形態の拳銃管理システムに関する拳銃、拳銃架台、番号札及び警察手帳を示す図である。
【図３】実施形態におけるパーソナルコンピュータのメイン処理のフローチャートである。
【図４】実施形態におけるパーソナルコンピュータの拳銃金庫管理収納処理のフローチャートである。
【符号の説明】
【００４０】
１                拳銃
２                拳銃架台
３                番号札
４                警察手帳
１１，３１，４１  ＲＦタグ
２１              アンテナ
２２              ハンディターミナル
２３              ＲＦリーダ
１００            パーソナルコンピュータ
【図１】
2009003635.tif 000003
【図２】
2009003635.tif 000004
【図３】
2009003635.tif 000005
【図４】
2009003635.tif 000006